(57)【要約】【課題】  レンズ内モータ駆動方式およびカメラボディ内モータ駆動方式のどちらの撮影レンズも装着することが可能な電子ファインダーを有するデジタルカメラであって、カメラボディ内モータ駆動方式のレンズを装着しても、電子ファインダー使用時に表示のゆれや、レンズ駆動機構から発生する雑音による不快感を与えず、かつ、撮影者になんら特別な操作の負担を与えることのないデジタルカメラを提供すること。【解決手段】  装着されたレンズの種類を判別する手段を有して、装着されたレンズの種類を自動的に判別し、装着されたレンズがカメラボディ内モータ駆動方式のレンズの場合にはライブビューを禁止し、ライブビューにおけるオートフォーカスを禁止し、またはライブビューにおいてはフォーカシングレンズの駆動を行うかどうかの判断のために用いる閾値を第２の閾値に切り換える。【選択図】        図１０
2006259113.tif 000002
【特許請求の範囲】
【請求項１】
レンズ交換式デジタルカメラであって、
撮影レンズ内に設けられたモータにより駆動される撮影レンズ、または、カメラボディ内に設けられたモータにより駆動される撮影レンズを装着するためのレンズ装着手段と、
装着された撮影レンズの種類を判別するレンズ判別手段と、
撮像センサにより撮像された画像をライブビュー表示する電子ファインダーと、
前記レンズ判別手段の判別結果に基づいて前記電子ファインダーによるライブビュー表示を制御する表示制御手段と、を有することを特徴とするレンズ交換式デジタルカメラ。
【請求項２】
前記レンズ判別手段が、装着された撮影レンズがカメラボディ内に設けられたモータにより駆動される撮影レンズであると判別した時は、前記表示制御手段はライブビュー表示を禁止することを特徴とする請求項１に記載レンズ交換式デジタルカメラ。
【請求項３】
レンズ交換式デジタルカメラであって、
撮影レンズ内に設けられたモータにより駆動される撮影レンズ、または、カメラボディ内に設けられたモータにより駆動される撮影レンズを装着するためのレンズ装着手段と、
撮像センサの出力を演算した結果に基づいてオートフォーカスを行うコントラストＡＦ手段と、
装着された撮影レンズの種類を判別するレンズ判別手段と、
前記レンズ判別手段の判別結果に基づいて、前記コントラストＡＦ手段によるオートフォーカスを制御するオートフォーカス制御手段と、を有することを特徴とするレンズ交換式デジタルカメラ。
【請求項４】
前記レンズ判別手段が、装着された撮影レンズがカメラボディ内に設けられたモータにより駆動される撮影レンズであると判別した時は、前記表示制御手段はコントラストＡＦ手段を禁止することを特徴とする請求項３に記載レンズ交換式デジタルカメラ。
【請求項５】
レンズ交換式デジタルカメラであって、
撮影レンズ内に設けられたモータにより駆動される撮影レンズ、または、カメラボディ内に設けられたモータにより駆動される撮影レンズを装着するためのレンズ装着手段と、
撮像センサの出力を演算した結果に基づいてオートフォーカスを行うコントラストＡＦ手段と、
前記コントラストＡＦ手段によるオートフォーカスによりピントが合焦した場合にレンズ駆動を停止させ、前記コントラストが特定の閾値を超えて変化した場合にレンズ駆動を再開させるレンズ駆動制御手段と、
装着されたレンズの種類を判別するレンズ判別手段と、
装着された撮影レンズが撮影レンズ内に設けられたモータにより駆動される撮影レンズであると判別された場合には前記閾値として第１の値を用いて、装着された撮影レンズがカメラボディ内に設けられたモータにより駆動される撮影レンズであると判別された場合には前記閾値として第１の値よりも大きい第２の値を用いる閾値設定手段と、を有することを特徴とするレンズ交換式デジタルカメラ。
【発明の詳細な説明】
【技術分野】
【０００１】
本発明はレンズ交換式デジタルカメラに関する。
【背景技術】
【０００２】
光学ファインダーと電子ファインダーとを切り換えて使用可能なレンズ交換式のデジタルカメラが従来から提案されている（例えば、特許文献１）。前述の特許文献１では、光学ファインダーと電子ファインダーとを使用し、撮像センサにより撮像した画像を電子ファインダーに表示（「ライブビュー」と呼ぶ）すると共に、撮像センサにより撮像された画像をメモリカードに記録すること、つまりデジタル撮影が可能な一眼レフのデジタルカメラが開示されている。このデジタルカメラでは、電子ファインダーを用いてライブビューによりフレーミングなどを行い、デジタル撮影を行うことができる。
【０００３】
特許文献１のデジタルカメラでは、光学ファインダーを選択した場合にはシャッターボタンを半押しにした状態で、撮影レンズはオートフォーカスによるレンズ駆動を続け、電子ファインダーを選択した場合には、シャッターボタンの半押しにより合焦状態になるまでオートフォーカスによるレンズ駆動および電子ファインダーのライブビュー表示を行い、一旦合焦状態になった後はオートフォーカスを停止し、電子ファインダーへのライブビュー表示のみを行うようになっている。
【０００４】
このデジタルカメラに用いられるオートフォーカスの説明をする。このカメラでは、被写体からの反射光を受光して被写体までの距離を検出する測距センサを用いたオートフォーカス、および撮像センサの出力である画像データの演算に基づいたオートフォーカスの２つの方法を有している。
【０００５】
このうち、測距センサを用いたオートフォーカスは、一般的には撮影レンズの異なる２つの部分を通過してきた光により結像した２つの画像の位相差を検出することによりピントのずれ量を検出し、このピントのずれ量が最小になるようにフォーカシングレンズを駆動する公知の方法であり、ここではこれを位相差ＡＦと呼ぶ。
【０００６】
画像データの演算を用いる方法は、一般的にはフォーカシングレンズを少しずつ駆動しながら、画像データの例えば画面中心付近の一部分（「ＡＦエリア」と呼ぶ）のコントラストを計算し、このコントラストが最大値付近である場合には合焦であると判断（「コントラストＡＦ」と呼ぶ）し、その位置でフォーカシングレンズの駆動を止める公知の方法である。
【特許文献１】特開２０００−１６５７０９号公報
【発明の開示】
【発明が解決しようとする課題】
【０００７】
このように、特許文献１の一眼レフカメラでは選択したファインダーの種類によりオートフォーカスの動作が異なり、光学ファインダーを選択した場合には一旦合焦した後もシャッターボタンが全押しされるまでオートフォーカスを続け（「コンティニュアスＡＦ」と呼ぶ）、電子ファインダーを選択した場合には一旦合焦した後はオートフォーカスを停止（「ワンショットＡＦ」と呼ぶ）してライブビューのみを続けるようになっている。しかしながら被写体距離が変化するように移動する被写体を撮影する場合などを考慮すると、電子ファインダーを選択した場合にも、コンティニュアスＡＦ動作を選択できることが望ましい。
【０００８】
しかしそのようにした場合、新たに次のような問題が生じる。一眼レフカメラ用の撮影レンズには現在２種類のレンズが存在している、一方は撮影レンズ内のモータによりオートフォーカスの駆動が行われるレンズ内モータ駆動方式のレンズであり、他方はカメラボディ内のモータによりオートフォーカスの駆動を行われるカメラボディ内モータ駆動方式のレンズである。このうち、カメラボディ内モータ駆動方式のレンズではレンズの駆動力は、カメラボディ側およびレンズ側に設けられ互いに連結して駆動力を伝える駆動力の伝達機構（「レンズカプラ」と呼ぶ）を通じて伝達される。このレンズカプラは、撮影レンズをカメラボディに装着した場合に連結が円滑に行われるようにある程度の遊びを有している。
【０００９】
上述したコントラストＡＦでコンティニュアスＡＦを行う場合には、画像データのコントラストのピークを求めるため、撮影レンズ全体またはその一部であるフォーカシングレンズを頻繁に前後に駆動しながらコントラスト値の計算を繰り返す必要がある。つまり、計算された最新のコントラスト値と一回前に計算されたコントラスト値とを比較して、特定の閾値以上に変化している場合にはピント位置が移動した可能性があるので、フォーカシングレンズを前後に動かしてみてコントラストを計算し、新しいピント位置を見つけなければならない。したがって、カメラボディ内モータ駆動方式の撮影レンズを用いてコントラストＡＦを行うと、レンズカプラの遊びのために、フォーカシングレンズが頻繁に前後する場合がある。すなわち、画像のコントラストを繰り返し計算して、フォーカシングレンズを合焦位置に移動させようとしても、レンズカプラに遊びを持たせているために、思いどおりの制御ができず、合焦位置にフォーカスレンズが到達するまで、不必要に行ったり来たりすることがある。当然、ワンショットＡＦであっても、なかなかピントが合わないというような現象が発生する。
【００１０】
また、上記のような現象が発生すると、撮影時のライブビュー画像がフォーカスレンズの前後移動に応じてピント位置が前後するので、ファインダー画像としては見にくい画像になる。
【００１１】
さらには、フォーカシングレンズが前後に頻繁に駆動されることで、モータ、レンズカプラの遊び部分など、レンズ駆動機構からの雑音が発生し、撮影者に不快感を与えるという問題がある。
【００１２】
この問題に対応するためには、撮影者が撮影レンズの種類に応じて、ライブビュー表示を選択しない、あるいはコントラストＡＦを駆動させない、という判断をする必要があり、撮影者に特別な操作の負担を与えることになる。
【００１３】
したがって、本発明の課題は、電子ファインダーを有するデジタルカメラであって、カメラにカメラボディ内モータ駆動方式のレンズを装着した時に、電子ファインダーの表示の不具合やコントラストＡＦの不具合がなく、レンズ駆動機構から発生する雑音による不快感を与えず、かつ、撮影者になんら特別な操作の負担を与えず、さらには、コントラストＡＦ、ライブビュー表示を実行させた時でも、上記不具合を減少させたデジタルカメラを提供することにある。
【課題を解決するための手段】
【００１４】
（請求項１）
レンズ交換式デジタルカメラであって、
撮影レンズ内に設けられたモータにより駆動される撮影レンズ、または、カメラボディ内に設けられたモータにより駆動される撮影レンズを装着するためのレンズ装着手段と、
装着された撮影レンズの種類を判別するレンズ判別手段と、
撮像センサにより撮像された画像をライブビュー表示する電子ファインダーと、
前記レンズ判別手段の判別結果に基づいて前記電子ファインダーによるライブビュー表示を制御する表示制御手段と、を有することを特徴とするレンズ交換式デジタルカメラ。
【００１５】
（請求項２）
前記レンズ判別手段が、装着された撮影レンズがカメラボディ内に設けられたモータにより駆動される撮影レンズであると判別した時は、前記表示制御手段はライブビュー表示を禁止することを特徴とする請求項１に記載レンズ交換式デジタルカメラ。
【００１６】
（請求項３）
レンズ交換式デジタルカメラであって、
撮影レンズ内に設けられたモータにより駆動される撮影レンズ、または、カメラボディ内に設けられたモータにより駆動される撮影レンズを装着するためのレンズ装着手段と、
撮像センサの出力を演算した結果に基づいてオートフォーカスを行うコントラストＡＦ手段と、
装着された撮影レンズの種類を判別するレンズ判別手段と、
前記レンズ判別手段の判別結果に基づいて、前記コントラストＡＦ手段によるオートフォーカスを制御するオートフォーカス制御手段と、を有することを特徴とするレンズ交換式デジタルカメラ。
【００１７】
（請求項４）
前記レンズ判別手段が、装着された撮影レンズがカメラボディ内に設けられたモータにより駆動される撮影レンズであると判別した時は、前記表示制御手段はコントラストＡＦ手段を禁止することを特徴とする請求項３に記載レンズ交換式デジタルカメラ。
【００１８】
（請求項５）
レンズ交換式デジタルカメラであって、
撮影レンズ内に設けられたモータにより駆動される撮影レンズ、または、カメラボディ内に設けられたモータにより駆動される撮影レンズを装着するためのレンズ装着手段と、
撮像センサの出力を演算した結果に基づいてオートフォーカスを行うコントラストＡＦ手段と、
前記コントラストＡＦ手段によるオートフォーカスによりピントが合焦した場合にレンズ駆動を停止させ、前記コントラストが特定の閾値を超えて変化した場合にレンズ駆動を再開させるレンズ駆動制御手段と、
装着されたレンズの種類を判別するレンズ判別手段と、
装着された撮影レンズが撮影レンズ内に設けられたモータにより駆動される撮影レンズであると判別された場合には前記閾値として第１の値を用いて、装着された撮影レンズがカメラボディ内に設けられたモータにより駆動される撮影レンズであると判別された場合には前記閾値として第１の値よりも大きい第２の値を用いる閾値設定手段と、を有することを特徴とするレンズ交換式デジタルカメラ。
【発明の効果】
【００１９】
請求項１に係る発明によれば、カメラボディに撮影レンズを装着した場合に、カメラは装着された撮影レンズの種類を判別し、装着した撮影レンズがカメラボディ内モータ駆動方式のレンズの場合にはライブビュー表示を自動的に制御する。したがって、撮影者に何ら特別な操作を強いることなく、装着された撮影レンズの種類に最適なファインダーを選択することができる。
【００２０】
請求項２に係る発明によれば、カメラボディに撮影レンズを装着した場合に、カメラは装着された撮影レンズの種類を判別し、装着した撮影レンズがカメラボディ内モータ駆動方式のレンズの場合にはライブビュー表示を自動的に禁止する。したがって、コントラストＡＦは作動せず、フォーカシングレンズが頻繁に前後に駆動されることがなく、レンズ駆動機構から雑音を発生することがないので撮影者に不快感を与えることがない。さらには、ライブビュー表示の禁止は自動的に行われるので、撮影者に何ら特別な操作を強いることなく、装着された撮影レンズの種類に最適なファインダーを選択することができる。
【００２１】
請求項３に係る発明によれば、カメラボディに撮影レンズを装着した場合に、カメラは装着された撮影レンズの種類を判別し、装着した撮影レンズがカメラボディ内モータ駆動方式のレンズの場合には、自動的にオートフォーカスを制御する。したがって、カメラボディ内モータ駆動方式のレンズを装着した場合には、ライブビュー画像を選択しても、オートフォーカスは撮影レンズの種類に最適の状態に制御される。また、オートフォーカスの制御は自動的に行われるので、撮影者に何ら特別な操作を強いることなく、装着された撮影レンズの種類に最適なカメラ動作の設定を行うことができる。
【００２２】
請求項４に係る発明によれば、カメラボディに撮影レンズを装着した場合に、カメラは装着された撮影レンズの種類を判別し、装着した撮影レンズがカメラボディ内モータ駆動方式のレンズの場合には、オートフォーカスを自動的に禁止にする。したがって、カメラボディ内モータ駆動方式のレンズを装着した場合には、ライブビュー画像を選択しても、フォーカシングレンズが頻繁に前後に駆動されることがなく、ファインダーが見にくくなることがない。また、レンズ駆動機構から雑音を発生して撮影者に不快感を与えることもない。さらには、オートフォーカスの禁止は自動的に行われるので撮影者に何ら特別な操作を強いることなく、装着された撮影レンズの種類に最適なカメラ動作の設定を行うことができる。
【００２３】
請求項５に係る発明によれば、カメラボディに撮影レンズを装着した場合に、カメラは装着された撮影レンズの種類を判別し、装着した撮影レンズがレンズ内モータ駆動方式のレンズの場合には、停止したフォーカシングレンズを再度駆動する必要があるかどうかを判断するために用いる閾値（「レンズ駆動閾値」と呼ぶ）を第１の値にし、装着した撮影レンズがカメラボディ内モータ駆動方式のレンズの場合には、自動的にレンズ駆動閾値を、第１の値よりも大きい第２の値にする。したがって、撮影レンズの種類によって最適な閾値が設定されるので、ライブビューが選択された場合でもフォーカシングレンズが不必要に前後に駆動されることがなく、ファインダーが見にくくなることがない。また、レンズ駆動機構から雑音が発生することがなく撮影者に不快感を与えることがない。さらには、閾値の変化は自動的に行われるので、撮影者に何ら特別な操作を強いることなく、装着された撮影レンズに最適な閾値を設定することができる。
【発明を実施するための最良の形態】
【００２４】
以下、図を用いて、本発明の実施形態の説明をする。
【００２５】
（第１の実施形態）
本実施形態に係るデジタルカメラは、撮影レンズの交換が可能なデジタル一眼レフカメラであり、ファインダーとしては、撮影レンズを通った光線をクイックリターンミラーでペンタプリズムの方へ導き、接眼レンズを通して観察する光学ファインダー、および撮像センサで撮像した画像をＬＣＤに表示してライブビュー表示を行う電子ファインダーを有する。光学ファインダーと電子ファインダーは、撮影者がそのどちらかを選択する。撮影レンズとしては、レンズ内部にフォーカシング用のモータを有するレンズ内モータ駆動方式のレンズ、およびカメラボディ内部のフォーカシング用モータの動力でフォーカシングを行うカメラボディ内モータ駆動方式のレンズのどちらも装着可能である。
【００２６】
図１は本発明の第１の実施形態であるデジタルカメラの外観の正面を示す図である。図１で、符号１はカメラボディ、符号２は撮影レンズである。符号３はシャッターボタンで、このボタンを半押し（「Ｓ１」と呼ぶ）することで、オートフォーカスの動作が始まり、完全に押し込むこと（「Ｓ２」と呼ぶ）で画像の撮影を行い、撮影した画像データをメモリカード（不図示）に記憶させる。符号４はレンズ着脱ボタンである。符号５はオートフォーカスのモード設定ボタンで、シャッターを半押ししている間オートフォーカスによるレンズ駆動を続行するコンティニュアスＡＦ、合焦後レンズ駆動を停止するワンショットＡＦおよび手動によるピント合わせであるマニュアルフォーカスの設定を行う。符号６は被写体輝度が低い場合に、オートフォーカスのために被写体を照明する補助光である。
【００２７】
図２は本デジタルカメラのカメラボディ１の外観の背面を示す図である。符号７は光学ファインダーである。符号８はＬＣＤで、撮影に関わる各種情報の表示および電子ファインダーとして用いられる。符号９は光学ファインダーと電子ファインダーを切り換えるファインダー選択ボタン、符号１０は露出モード設定ダイヤルでプログラムモード、絞り優先モード、シャッター速度優先モードおよびマニュアル露出の各モードの選択に用いられる。符号１１は変更ダイヤルで、絞り値およびシャッター速度の変更に用いられる。符号１２はジョグダイヤルで、ＬＣＤ８上に表示されたカーソルを移動するのに用いられる。符号１３は設定ボタンで、ＬＣＤ８上へのメニュー表示や撮影した画像の再生時のコマ送りや画像の拡大縮小などの設定に用いられる。符号１４はメインスイッチ、符号１５は撮像センサの感度および露出補正を設定する露出値設定ダイヤルである。
【００２８】
図３は、カメラボディ１から撮影レンズを取り外した状態の前面の外観図である。１６はレンズマウント（レンズ装着手段）で撮影レンズとしてレンズ内モータ駆動方式の撮影レンズおよびカメラボディ内モータ駆動方式の撮影レンズが装着可能である。１７はレンズ駆動の駆動力をカメラボディ１から撮影レンズ２に伝達するレンズカプラである。符号１８は撮影レンズ２の情報をカメラボディ側に伝えるため、およびカメラボディ１側から撮影レンズ２側へフォーカシング情報を伝えるための電気接点であり、撮影レンズ２を装着したときには撮影レンズ２側の電気接点（不図示）と接触し、カメラボディ１と撮影レンズ２との間で情報の授受を行う。
【００２９】
図４は光学ファインダーが選択された状態にある本デジタルカメラの、撮影レンズ２の光軸を含む断面図である。図４で、図１および図２と同じ機能の要素には同じ番号を付した。符号２０はクイックリターンミラーで撮影レンズ２を通過してきた光をペンタプリズム２５の方へ反射させている。符号２１はサブミラーで、クイックリターンミラーの中央部の光透過部分を通過してきた光を、ピントずれの検出を行うＡＦモジュール２２の方へ反射させている。ペンタプリズム２５を通過した光は接眼レンズ２６を通して撮影者（不図示）によって観察される。符号２３はシャッター、符号２４は撮像センサである。この状態では、撮像センサ２４には光が導かれないため、撮像センサ２４の出力画像を用いたライブビューおよび、コントラストＡＦは不可能である。
【００３０】
図５は電子ファインダーによるライブビューが選択された状態にある本デジタルカメラの、撮影レンズ２の光軸を含む断面図である。図５で図１および図２と同じ機能の要素には同じ番号を付した。図５ではクイックリターンミラーは上方へ跳ね上げられ、シャッター２３は開放され、撮影レンズ２を通過してきた光は撮像センサ２４の表面で結像する。この状態では、ＡＦモジュール２２へは光が導かれないため、ＡＦモジュールを用いた位相差ＡＦは不可能である。
【００３１】
図６はカメラボディ１にレンズ内モータ駆動方式の撮影レンズ２ａを装着した状態にある本デジタルカメラの構成を示すブロック図である。図６において、電気接点１８を通して、撮影レンズ２ａからはカメラボディ１の制御ＣＰＵ４１へ、ＲＯＭ３３に記憶されているレンズ内モータ駆動方式のレンズであるか、または、カメラボディ内モータ駆動方式のレンズであるかの情報、焦点距離など撮影レンズ２ａに関する情報が転送される。
【００３２】
逆に制御ＣＰＵ４１からはモータ制御マイコン３２にレンズの送り量が転送される。モータ制御マイコン３２は、制御ＣＰＵ４１から受け取ったレンズの送り量に応じてレンズ内モータ３１を制御し、ピント合わせのためのフォーカシングレンズ４３を駆動する。符号４４は装着された撮影レンズが、レンズ内モータ駆動方式のレンズであるか、または、カメラボディ内モータ駆動方式のレンズであるかの種類を判別するレンズ判別手段、符号４５はライブビューの禁止または許可の設定をする表示制御手段である。
【００３３】
撮像センサ２４にはＣＣＤセンサやＣＭＯＳセンサが用いられ、その受光面には撮影レンズ２ａを通過してきた光により被写体（不図示）の像が結像している。符号３４はＡ／Ｄコンバータで、撮像センサ２４から出力される画像信号をデジタルの画像データに変換する。符号３５は画像処理回路で、画像データの黒レベル補正、シェーディング補正、ホワイトバランス補正、ガンマ補正などを行い、補正された画像データを画像メモリ３６に記憶する。画像メモリ３６に記憶された画像データは制御ＣＰＵ４１に読み込まれ、ＬＣＤドライバ３７に出力されてＬＣＤ８に表示される。上述した撮像センサ２４からＬＣＤ８における動作は撮像センサ２４の画像信号の出力フレーム毎に行われ、ＬＣＤ８には被写体（不図示）のライブビュー画像が表示される。なお、ＬＣＤ８にはライブビュー画像以外に、撮影に関する情報を表示することもできる。メモリカード４２には撮影された画像の画像データが記憶される。
【００３４】
本実施形態ではオートフォーカスの信号処理は制御ＣＰＵ４１が行う。以下、制御ＣＰＵ４１で行われるオートフォーカスの説明をする。制御ＣＰＵ４１では、ＡＦモジュール２２の出力を用いた位相差ＡＦ、及び、画像データの一部のコントラストを用いたコントラストＡＦの２つのＡＦ動作を行う。
【００３５】
このうち、位相差ＡＦは撮影レンズ２ａの異なる２つの部分を通過してきた光により結像した２つの画像の位相差を検出することによりピントのずれ量を検出し、このピントのずれ量が最小になるようにフォーカシングレンズ４３を駆動する公知の方法である。
【００３６】
コントラストＡＦは、フォーカシングレンズ４３を少しずつ駆動しながら、画像データの内、ＡＦエリアのコントラストを繰り返し計算し、このコントラストが最大になったところを合焦点として、その位置でフォーカシングレンズ４３の駆動を止める公知の方法である。このとき、コントラストの計算は続行する。そして、計算された最新のコントラスト値が前回計算されたコントラスト値から特定の閾値よりも大きく変化した場合には、被写体距離が変化したかまたは被写体そのものが変わってしまった等の原因により合焦でなくなった可能性があると判断し、フォーカシングレンズ４３の駆動を再開して新しい合焦点を探し、計算された最新のコントラスト値が、前回計算されたコントラスト値から特定の閾値以内しか変わっていい場合には、ピント位置の変化は大きくないと判断する。この閾値の値は絶対値であっても良いし、前回のコントラスト値に対する割合であっても良い。
【００３７】
制御ＣＰＵ４１は上述の方法でピントのずれ量またはコントラストを計算し、電気接点１８を経由してモータ制御マイコン３２にレンズの移動方向および移動量に関する情報を出力する。モータ制御マイコン３２はその情報に応じてレンズ内モータ３１を駆動し、フォーカシングレンズ４３が駆動される。
【００３８】
図７はカメラボディ１にレンズ内モータ駆動方式の撮影レンズ２ｂを装着した状態にある本デジタルカメラの構成を示すブロック図である。図７において、図６と同じ機能を有する要素には同じ番号を付した。図７に示す構成の動作が図６に示す構成の動作と異なるのは、フォーカシングレンズ４３の駆動に関する部分だけであり、その他のライブビュー画像の表示およびオートフォーカス等については同じ動作をする。したがって、簡単のためここではその説明を省略し、フォーカシングレンズ４３の駆動に関する部分のみ説明する。
【００３９】
図７の構成では、レンズの移動方向および移動量の情報は制御ＣＰＵ４１からモータドライバ４０へ出力される。モータドライバはその情報に応じてカメラボディ内モータ３９を駆動する。その駆動力はレンズカプラ１７を通じて撮影レンズ２ｂに伝達され、フォーカシングレンズ４３が駆動される。
【００４０】
図１０は本デジタルカメラの制御シーケンスを示すフローチャートである。図１０において、メインスイッチ１４が投入されると、ステップ１０１でライブビュー許可フラグＬＶを０にセットしてライブビューを禁止する。
【００４１】
ステップＳ１０２で電子ファインダーのライブビューが選択されているか、それとも光学ファインダーが選択されているかが判定される。ライブビューが選択されていれば（ステップＳ１０２：Ｙｅｓ）ステップＳ１０３を実行し、選択されていなければ（ステップＳ１０２：Ｎｏ）ステップＳ１１４を実行する。
【００４２】
ステップＳ１０３ではライブビュー許可フラグＬＶを１にセットしてライブビューを許可する。
【００４３】
ステップＳ１０４では、ＲＯＭ３３から読み込まれた情報を元に、装着された撮影レンズがレンズ内モータ駆動方式の撮影レンズ２ａであるか、またはカメラボディ内モータ駆動方式の撮影レンズ２ｂであるかを判別する。
【００４４】
ステップ１０５では、使用されているレンズがレンズ内モータ駆動方式の撮影レンズ２ａかカメラボディ内モータ駆動方式の撮影レンズ２ｂかを判定し、レンズ内モータ駆動方式の撮影レンズ２ａが使用されている場合（ステップＳ１０５：Ｙｅｓ）はステップＳ１０７を実行し、そうでなければ（ステップＳ１０５：Ｎｏ）ステップＳ１０６を実行する。
【００４５】
ステップＳ１０６ではライブビュー許可フラグＬＶを０にセットしライブビューを禁止にする。
【００４６】
ステップＳ１０７ではライブビュー許可フラグＬＶが１であるかどうかを判定するし、ＬＶ＝１、つまりライブビューが許可されていれば（ステップＳ１０７：Ｙｅｓ）ステップＳ１０８を実行し、ＬＶ＝１でない、つまりライブビューが禁止されていれば（ステップＳ１０７：Ｎｏ）ステップＳ１１３を実行する。
【００４７】
ステップＳ１０８では、ＬＣＤ８にライブビュー表示を行う。
【００４８】
ステップＳ１０９では、シャッターボタン３が半押しになっているかどうか、つまりＳ１がオンかどうかを判定する。Ｓ１がオンであれば（ステップＳ１０９：Ｙｅｓ）ステップＳ１１０を実行し、オンでなければ（ステップＳ１０９：Ｎｏ）ステップＳ１０８を実行する。
【００４９】
ステップＳ１１０では、画像データを用いたコントラストＡＦを行う。このステップでは画像データの１フレーム分についてのＡＦ動作を行ってステップＳ１１１へ移行する。
【００５０】
ステップＳ１１１では、シャッターボタン３が完全に押し込まれたかどうか、つまりＳ２がオンになっているかどうかを判定する。Ｓ２がオンになっていれば（ステップＳ１１１：Ｙｅｓ）ステップＳ１１２が実行され、オンになっていなければ（ステップＳ１１１：Ｎｏ）ステップＳ１０８が実行される。
【００５１】
ステップＳ１１２では、撮影が行われて画像データがメモリカード４２に記憶される。
【００５２】
前述のステップＳ１０７で、ライブビューが禁止にされている場合（ステップＳ１０７：Ｎｏ）について説明する。ステップＳ１１３では、ライブビューが禁止である旨をＬＣＤ８または他の表示手段（不図示）に表示する。
【００５３】
ステップＳ１１４では、シャッターボタン３が半押しになっているかどうか、つまりＳ１がオンかどうかを判定する。Ｓ１がオンになっていれば（ステップＳ１１４：Ｙｅｓ）ステップＳ１１５が実行され、オンになっていなければ（ステップＳ１１４：Ｎｏ）ステップＳ１１４が実行される。
【００５４】
ステップＳ１１５では、ＡＦモジュール２２の出力を用いた位相差ＡＦが実行される。
【００５５】
ステップＳ１１６では、シャッターボタン３が完全に押し込まれたかどうか、つまりＳ２がオンになっているかどうかを判定する。Ｓ２がオンになっていれば（ステップＳ１１６：Ｙｅｓ）ステップＳ１１７が実行され、オンになっていなければ（ステップＳ１１６：Ｎｏ）ステップＳ１１４が実行される。
【００５６】
ステップＳ１１７では、撮影が行われて画像データがメモリカード４２に記憶される。
【００５７】
図１０のフローチャートで説明したように本実施形態によれば制御ＣＰＵ４１内のレンズ判別手段４４が、カメラボディ１に装着されている撮影レンズがレンズ内モータ駆動方式の撮影レンズ２ａかカメラボディ内レンズモータ駆動方式の撮影レンズ２ｂかを自動的に判別する。そしてカメラボディ内レンズモータ駆動方式の撮影レンズ２ｂが装着されていると判別した場合には、表示制御手段４５が自動的にライブビュー表示を禁止にするので、コントラストＡＦは行われずフォーカシングレンズが頻繁に前後に駆動されることがなく、レンズ駆動機構からの雑音を発生させることがないので撮影者に不快感を与えない。また、ファインダーの選択は自動的に行われるため、撮影者自身が、使用している撮影レンズの種類を判別してファインダーを切り換えるような特別な操作が必要となることもない。撮影者は、使用するレンズがレンズ内モータ駆動方式の撮影レンズ２ａかカメラボディ内レンズモータ駆動方式の撮影レンズ２ｂかを意識することなくレンズ交換を行えば、使用するレンズに最適なファインダー表示の方法が本デジタルカメラによって自動的に選択される。
【００５８】
（第２の実施形態）
本発明の第２の実施形態に係るデジタルカメラはハードウェアの構成は第１の実施形態と同じであるので、ここでは本デジタルカメラの機械的構成の説明は省略し、図８に示すブロック図および図１１に示す制御シーケンスのみ説明する。
【００５９】
図８は本実施形態のブロック図である。本ブロック図ではカメラボディのみのブロック図を示し、装着されたレンズのブロック図は省略した。図８において、図６および図７と同様の機能の要素には同じ番号を付した。本実施形態が第１の実施形態と異なるのは制御ＣＰＵ４１の内容のみである。したがって、ここでは制御ＣＰＵ４１の内容の説明のみ行う。
【００６０】
符号４４はレンズ判別手段で、これは第１の実施形態と同じく、装着された撮影レンズが、レンズ内モータ駆動方式のレンズであるかまたはカメラボディ内モータ駆動方式のレンズであるかの種類を判別する。
【００６１】
符号４６はコントラストＡＦ手段であり、画像データに基づくコントラストＡＦを行う。
【００６２】
符号４７はオートフォーカス制御手段であり、オートフォーカスの許可および禁止の制御を行う。
【００６３】
図１１は本実施形態の制御シーケンスである。図１１において、メインスイッチ１４が投入されると、ステップＳ２０１で、コントラストＡＦ許可フラグＣＡＦを０に設定して、コントラストＡＦを禁止にする。
【００６４】
ステップＳ２０２では、電子ファインダーによるライブビューが選択されているか、それとも光学ファインダーが選択されているかが判定される。電子ファインダーが選択されていれば（ステップＳ２０２：Ｙｅｓ）ステップＳ２０３を実行し、選択されていなければ（ステップＳ２０２：Ｎｏ）ステップＳ２１８を実行する。
【００６５】
ステップＳ２０３では、コントラストＡＦ許可フラグＣＡＦを１にセットして、コントラストＡＦを許可する。
【００６６】
ステップＳ２０４では、ＲＯＭ３３から読み込まれた情報を元に、装着された撮影レンズがレンズ内モータ駆動方式の撮影レンズ２ａであるか、またはカメラボディ内モータ駆動方式の撮影レンズ２ｂであるかを判別する。
【００６７】
ステップ２０５では、使用されているレンズがレンズ内モータ駆動方式の撮影レンズ２ａかカメラボディ内モータ駆動方式の撮影レンズ２ｂかを判定し、レンズ内モータ駆動方式の撮影レンズ２ａが使用されている場合（ステップＳ２０５：Ｙｅｓ）はステップＳ２０７を実行し、そうでなければ（ステップＳ２０５：Ｎｏ）ステップＳ２０６を実行する。
【００６８】
ステップＳ２０６では、コントラストＡＦ許可フラグＣＡＦを０にセットし、コントラストＡＦを禁止する。
【００６９】
ステップＳ２０７ではコントラストＡＦ許可フラグが１であるかどうかを判定し、ＣＡＦ＝１、つまりコントラストＡＦが許可されていれば（ステップＳ２０７：Ｙｅｓ）ステップＳ２０８を実行し、ＣＡＦ＝１でない、つまりコントラストＡＦが禁止であれば（ステップＳ２０７：Ｎｏ）ステップＳ２１３を実行する。
【００７０】
ステップＳ２０８では、ＬＣＤ８にライブビュー表示を行う。
【００７１】
ステップＳ２０９では、シャッターボタン３が半押しになっているかどうか、つまりＳ１がオンかどうかを判定する。Ｓ１がオンであれば（ステップＳ２０９：Ｙｅｓ）ステップＳ２１０を実行し、オンでなければ（ステップＳ２０９：Ｎｏ）ステップＳ２０８を実行する。
【００７２】
ステップＳ２１０では、画像データを用いたコントラストＡＦを行う。このステップでは画像データの１フレーム分についてのＡＦ動作を行ってステップＳ２１１へ移行する。
【００７３】
ステップＳ２１１では、シャッターボタン３が完全に押し込まれたかどうか、つまりＳ２がオンになっているかどうかを判断する。Ｓ２がオンになっていれば（ステップＳ２１１：Ｙｅｓ）ステップＳ２１２が実行され、オンになっていなければ（ステップＳ２１１：Ｎｏ）ステップＳ２０８が実行される。
【００７４】
ステップＳ２１２では、撮影が行われて画像データがメモリカード４２に記憶される。
【００７５】
前述のステップＳ２０７でコントラストＡＦが禁止である場合（ステップＳ２０７：Ｎｏ）について説明する。ステップＳ２１３では、ＬＣＤ８にライブビュー表示を行う。
【００７６】
ステップＳ２１４では、シャッターボタン３が半押しになっているかどうか、つまりＳ１がオンかどうかを判定する。Ｓ１がオンであれば（ステップＳ２１４：Ｙｅｓ）ステップＳ２１５を実行し、オンでなければ（ステップＳ２１４：Ｎｏ）ステップＳ２１３を実行する。
【００７７】
ステップＳ２１５では、シャッターボタン３が完全に押し込まれたかどうか、つまりＳ２がオンになっているかどうかを判断する。Ｓ２がオンになっていれば（ステップＳ２１５：Ｙｅｓ）ステップＳ２１６が実行され、オンになっていなければ（ステップＳ２１５：Ｎｏ）ステップＳ２１３が実行される。
【００７８】
ステップＳ２１６では、画像データを用いたコントラストＡＦを行う。
【００７９】
ステップＳ２１７では、撮影が行われて画像データがメモリカード４２に記憶される。
【００８０】
前述のステップＳ２０２で、ライブビューが選択されていない場合（ステップＳ２０２：Ｎｏ）について説明する。ステップＳ２１８では、シャッターボタン３が半押しになっているかどうか、つまりＳ１がオンかどうかを判定する。Ｓ１がオンになっていれば（ステップＳ２１８：Ｙｅｓ）ステップＳ２１９が実行され、オンになっていなければ（ステップＳ２１８：Ｎｏ）ステップＳ２１８が実行される。
【００８１】
ステップＳ２１９では、ＡＦモジュール２２の出力を用いた位相差ＡＦが実行される。
【００８２】
ステップＳ２２０では、シャッターボタン３が完全に押し込まれたかどうか、つまりＳ２がオンになっているかどうかを判断する。Ｓ２がオンになっていれば（ステップＳ２２０：Ｙｅｓ）ステップＳ２２１が実行され、オンになっていなければ（ステップＳ２２０：Ｎｏ）ステップＳ２１８が実行される。
【００８３】
ステップＳ２２１では、撮影が行われて画像データがメモリカード４２に記憶される。
【００８４】
図１１のフローチャートで説明したように本実施形態によれば、カメラボディ１に装着されている撮影レンズがレンズ内モータ駆動方式の撮影レンズ２ａかカメラボディ内レンズモータ駆動方式の撮影レンズ２ｂかを自動的に判別し、カメラボディ内レンズモータ駆動方式の撮影レンズ２ｂを装着した場合にはライブビュー表示が選択されている場合には自動的にオートフォーカス制御手段４７がコントラストＡＦを禁止にするので、フォーカシングレンズが頻繁に前後に駆動されることがなく、ファインダーが見にくくなることがない。また、レンズ駆動機構から雑音が発生して撮影者に不快感を起こさせることがない。さらには、撮影レンズの種類の判別は自動的に行われるので、撮影者自身が、使用している撮影レンズの種類を判別して動作の設定を切り換えるような特別な操作が必要となることもない。撮影者は、使用するレンズがレンズ内モータ駆動方式の撮影レンズ２ａかカメラボディ内レンズモータ駆動方式の撮影レンズ２ｂかを意識することなくレンズ交換を行えば、使用するレンズに最適なライブビュー表示の方法が本デジタルカメラによって自動的に選択される。
【００８５】
本実施形態によれば、カメラボディ１にカメラボディ内レンズモータ駆動方式の撮影レンズ２ｂを装着した場合には、Ｓ１がオンの状態ではオートフォーカスを行っていない。しかし、Ｓ２がオンした後は、再度オートフォーカスを行っている（ステップ２１６）ので、撮影される画像は合焦精度の高いものになっている。また、オートフォーカスを禁止している間は、マニュアルフォーカスモードにしてもよい。
【００８６】
（第３の実施形態）
本発明の第３の実施形態に係るデジタルカメラはハードウェアの構成は第１の実施形態と同じであるので、ここでは本デジタルカメラの機械的構成の説明は省略し、図９に示すブロック図および図１２に示す制御シーケンスのみ説明する。
【００８７】
図９は本実施形態のブロック図である。本ブロック図ではカメラボディのみのブロック図を示し、装着されたレンズのブロック図は省略した。図９において、図６および図７と同様の機能の要素には同じ番号を付した。本実施形態が第１の実施形態と異なるのは制御ＣＰＵ４１の内容のみである。したがって、ここでは制御ＣＰＵ４１の内容の説明のみ行う。
【００８８】
符号４８はレンズ駆動制御手段であり、繰り返し計算されたコントラストが特定の閾値を超えた場合に、停止させられていたレンズ駆動を再開させるレンズ駆動制御を行う。
【００８９】
符号４９は閾値設定手段であり、装着されたレンズがレンズ内モータ駆動方式のレンズである場合には第１の値をレンズ駆動閾値に設定し、装着されたレンズがカメラボディ内モータ駆動方式のレンズの場合には第２の値をレンズ駆動閾値に設定する。
【００９０】
図１２は本実施形態の制御シーケンスである。図１２において、メインスイッチ１４が投入されるとステップＳ３０１で電子ファインダーのライブビューが選択されているか、それとも光学ファインダーが選択されているかが判定される。ライブビューが選択されていればステップＳ３０２を実行し、選択されていなければステップＳ３１９を実行する。
【００９１】
ステップＳ３０２では、ＲＯＭ３３から読み込まれた情報を元に、装着された撮影レンズがレンズ内モータ駆動方式の撮影レンズ２ａであるか、またはカメラボディ内モータ駆動方式の撮影レンズ２ｂであるかを判別する。
【００９２】
ステップ３０３では、使用されているレンズがレンズ内モータ駆動方式の撮影レンズ２ａかカメラボディ内モータ駆動方式の撮影レンズ２ｂかを判定し、レンズ内モータ駆動方式の撮影レンズ２ａが使用されている場合はステップＳ３０４を実行し、そうでなければステップＳ３１０を実行する。
【００９３】
ステップＳ３０４ではフォーカシングレンズ４３のレンズ駆動閾値として第１の値を設定する。第１の値としてはコントラストの最大値からの割合を示す数値を用いる。
【００９４】
ステップＳ３０５では、ＬＣＤ８にライブビュー表示を行う。
【００９５】
ステップ３０６では、シャッターボタン３が半押しになっているかどうか、つまりＳ１がオンかどうかを判定する。Ｓ１がオンであればステップＳ３０７を実行し、オンでなければステップＳ３０５を実行する。
【００９６】
ステップＳ３０７では、画像データを用いたコントラストＡＦを行う。このステップでは計算された最新のコントラスト値と前回計算されたコントラスト値の差が、レンズ駆動閾値より大きい場合はフォーカシングレンズの駆動を再開し、レンズ駆動閾値以下の場合にはフォーカシングレンズは停止したままにされる。このステップでは画像データの１フレーム分についてのＡＦ動作を行ってステップＳ３０８へ移行する。
【００９７】
ステップＳ３０８では、シャッターボタン３が完全に押し込まれたかどうか、つまりＳ２がオンになっているかどうかを判断する。Ｓ２がオンになっていればステップＳ３０９が実行され、オンになっていなければステップＳ３０５が実行される。
【００９８】
ステップＳ３０９では、撮影が行われて画像データがメモリカード４２に記憶される。
【００９９】
ステップＳ３１０ではレンズ駆動閾値として第１の値より大きな第２の値を設定する。第２の値としてはコントラストの最大値からの割合を示す数値を用いる。
【０１００】
ステップＳ３１１では、ＬＣＤ８にライブビュー表示を行う。
【０１０１】
ステップＳ３１２では、シャッターボタン３が半押しになっているかどうか、つまりＳ１がオンかどうかを判定する。Ｓ１がオンであればステップＳ３１３を実行し、オンでなければステップＳ３１１を実行する。
【０１０２】
ステップＳ３１３では、画像データを用いたコントラストＡＦを行う。このステップでは計算された最新のコントラスト値と前回計算されたコントラスト値の差が、レンズ駆動閾値より大きい場合はフォーカシングレンズの駆動を再開し、レンズ駆動閾値以下の場合にはフォーカシングレンズは停止したままにされる。このステップでは画像データの１フレーム分についてのＡＦ動作を行ってステップＳ３１４へ移行する。
【０１０３】
ステップＳ３１４では、シャッターボタン３が完全に押し込まれたかどうか、つまりＳ２がオンになっているかどうかを判断する。Ｓ２がオンになっていればステップＳ３１５が実行され、オンになっていなければステップＳ３１１が実行される。
【０１０４】
ステップＳ３１５ではレンズ駆動閾値として第１の値を設定する。
【０１０５】
ステップＳ３１６では、画像データを用いたコントラストＡＦを行う。
【０１０６】
ステップＳ３１７では、撮影が行われて画像データがメモリカード４２に記憶される。
【０１０７】
ステップＳ３１９では、シャッターボタン３が半押しになっているかどうか、つまりＳ１がオンかどうかを判定する。Ｓ１がオンになっていればステップＳ３２０が実行され、オンになっていなければステップＳ１９が実行される。
【０１０８】
ステップＳ３２０では、ＡＦモジュール２２の出力を用いた位相差ＡＦが実行される。
【０１０９】
ステップＳ３２１では、シャッターボタン３が完全に押し込まれたかどうか、つまりＳ２がオンになっているかどうかを判断する。Ｓ２がオンになっていればステップＳ３２２が実行され、オンになっていなければステップＳ３１９が実行される。
【０１１０】
ステップＳ３２２では、撮影が行われて画像データがメモリカード４２に記憶される。
【０１１１】
本実施形態では、コントラストＡＦにおいて、停止したフォーカシングレンズを再度駆動する必要があるかどうかを判断するために用いるレンズ駆動閾値に２種類の値を用いている。撮影レンズとしてレンズ内モータ駆動方式の撮影レンズ２ａが装着された場合には閾値設定手段４９はレンズ駆動閾値として第１の値を設定し、撮影レンズとしてカメラボディ内モータ駆動方式の撮影レンズ２ｂが装着された場合には閾値設定手段４９はレンズ駆動閾値として第１の値より大きな第２の値を設定する。こうすることにより、カメラボディ内モータ駆動方式の撮影レンズ２ｂが装着された場合には、フォーカシングレンズが駆動される頻度を低くし、レンズ駆動機構からの雑音を撮影者が不快に感じないまでに軽減することができる。すなわち実質的に雑音の発生をなくすことができる。
【０１１２】
図１２のフローチャートで説明したように本実施形態によれば、カメラボディ１に装着されている撮影レンズがレンズ内モータ駆動方式の撮影レンズ２ａかカメラボディ内レンズモータ駆動方式の撮影レンズ２ｂかを自動的に判別し、カメラボディ内レンズモータ駆動方式の撮影レンズ２ｂを装着した場合にはライブビュー表示が選択されている場合には自動的にレンズ駆動閾値の値が大きくなるので、合焦位置にフォーカスレンズが到達するまで、不必要に行ったり来たりすることが少なくなり、またフォーカシングレンズが駆動される頻度が低くなるためファインダーが見にくくなることがない。また、レンズ駆動機構から雑音が発生して撮影者に不快感を与えることがない。さらには、撮影レンズの種類の判別は自動的に行われるので、撮影者自身が、使用している撮影レンズの種類を判別して動作の設定を切り換えるような特別な操作が必要となることもない。撮影者は、使用するレンズがレンズ内モータ駆動方式の撮影レンズ２ａかカメラボディ内レンズモータ駆動方式の撮影レンズ２ｂかを意識することなくレンズ交換を行えば、使用するレンズに最適なレンズ駆動閾値が本デジタルカメラによって自動的に選択される。
【０１１３】
また、本実施形態によれば、レンズ駆動の頻度が小さくなるのでレンズ駆動に使用される電力を小さくすることができ、よって電池電池寿命を長くする効果がある。
【０１１４】
本実施形態によれば、カメラボディ１にカメラボディ内レンズモータ駆動方式の撮影レンズ２ｂを装着した場合には、Ｓ１がオンの状態ではレンズ駆動閾値を第１の値より大きな第２の値に設定している。したがって、Ｓ１がオンでライブビュー画像を表示している状態では、オートフォーカスの合焦精度が低くなっている。しかし、Ｓ２がオンした後は、レンズ駆動閾値を第１の値に設定し直して再度オートフォーカスを行っている（ステップ３１５および３１６）ので、撮影される画像は合焦精度の高いものになっている。
【０１１５】
本発明によれば、レンズ内モータ駆動方式またはカメラボディ内モータ駆動方式のレンズが装着可能で、かつ光学ファインダーおよび電子ファインダーが選択可能なカメラにおいて、使用する撮影レンズの種類を自動的に判別しその撮影レンズに適したカメラの制御が行われるので、撮影者が撮影レンズの種類によりカメラの設定を切り換えたりする必要がなく、撮影者に特別な操作の負担をかけることなく、フォーカシングレンズが不必要に駆動されてファインダーが見にくくなることがなく、レンズ駆動機構から雑音を発生することのない撮影を行うことができる。
【図面の簡単な説明】
【０１１６】
【図１】本発明の第１乃至第３の実施形態に係るデジタルカメラの外観の正面図である。
【図２】本発明の第１乃至第３の実施形態に係るデジタルカメラの外観の背面図である。
【図３】本発明の第１乃至第３の実施形態に係るデジタルカメラの、撮影レンズを外した外観の正面図である。
【図４】本発明の第１乃至第３の実施形態に係るデジタルカメラの、光学ファインダーを選択している状態の断面図である。
【図５】本発明の第１乃至第３の実施形態に係るデジタルカメラの、電子ファインダーを選択している状態の断面図である。
【図６】本発明の第１の実施形態に係るデジタルカメラの、レンズ内モータ駆動方式の撮影レンズを装着した状態の構成を示すブロック図である。
【図７】本発明の第１の実施形態に係るデジタルカメラの、カメラボディ内モータ駆動方式の撮影レンズを装着した状態の構成を示すブロック図である。
【図８】本発明の第２の実施形態に係るデジタルカメラの、カメラボディの構成を示すブロック図である。
【図９】本発明の第３の実施形態に係るデジタルカメラの、カメラボディの構成を示すブロック図である。
【図１０】本発明の第１の実施形態に係るデジタルカメラの動作シーケンスを示すフローチャートである。
【図１１】本発明の第２の実施形態に係るデジタルカメラの動作シーケンスを示すフローチャートである。
【図１２】本発明の第３の実施形態に係るデジタルカメラの動作シーケンスを示すフローチャートである。
【符号の説明】
【０１１７】
１  カメラボディ
２  撮影レンズ
３  シャッターボタン
４  レンズ着脱ボタン
５  モード設定ボタン
６  補助光
７  光学ファインダー
８  ＬＣＤ
９  ファインダー選択ボタン
１０  露出モード設定ダイヤル
１１  変更ダイヤル
１２  ジョグダイヤル
１３  設定ボタン
１４  メインスイッチ
１５  露出値設定ダイヤル
１６  レンズマウント
１７  レンズカプラ
１８  電気接点
２０  クイックリターンミラー
２１  サブミラー
２２  ＡＦモジュール
２３  シャッター
２４  撮像センサ
２５  ペンタプルズム
２６  接眼レンズ
【図１】
2006259113.tif 000003
【図２】
2006259113.tif 000004
【図３】
2006259113.tif 000005
【図４】
2006259113.tif 000006
【図５】
2006259113.tif 000007
【図６】
2006259113.tif 000008
【図７】
2006259113.tif 000009
【図８】
2006259113.tif 000010
【図９】
2006259113.tif 000011
【図１０】
2006259113.tif 000012
【図１１】
2006259113.tif 000013
【図１２】
2006259113.tif 000014